(57)【要約】【解決手段】パレット部Ｐと、先行傾倒側壁１と後行傾倒側壁２とを有するボックス部ＢとからなるボックスパレットＢｐにおいて、先行傾倒側壁１には、略コの字状のスリットｓ２を穿設することにより形成された当接弾性舌片ｅ６を有する衝合部材Ｅと該衝合部材とは別体のロック部材Ｕとが配設される配設空間Ａが形成されているとともに、配設空間内に位置する板状部１ａ及び該板状部に形成された嵌合凹部１ｍには、嵌合凹部の奥板１ｍ１に穿設された嵌合孔１ｎ、１ｐ以外の透孔は穿設されておらず、配設空間内に、衝合部材が取り付けられた際には、衝合部材の盲ブロックｅ２、ｅ３を、嵌合凹部の奥板に穿設された嵌合孔に嵌入することにより、嵌合孔が閉鎖されるように構成したものである。【効果】配設空間内に入り込んだ物品により、配設空間内に配設されているロック部材の円滑な移動が阻止されるようなことを防止することができる。【選択図】図１８
2008114912.tif 000002
【特許請求の範囲】
【請求項１】
パレット部と、パレット部の一方の相対する辺部にヒンジ連結された先行傾倒側壁及びパレット部のもう一方の相対する辺部にヒンジ連結された後行傾倒側壁とを有するボックス部とから構成されているボックスパレットにおいて、先行傾倒側壁には、略コの字状のスリットを穿設することにより形成された当接弾性舌片を有する衝合部材と該衝合部材と別体のロック部材とが配設される配設空間が形成されているとともに、配設空間内に位置する板状部及び該板状部に形成された嵌合凹部には、嵌合凹部の奥板に穿設された嵌合孔以外の透孔は穿設されておらず、配設空間内に、衝合部材が取り付けられた際には、衝合部材の盲ブロックが、嵌合凹部の奥板に穿設された嵌合孔に嵌入されることにより、嵌合孔が閉鎖されるように構成されており、且つ、ロック部材に形成されているガイド突片が、配設空間を構成する水平区画リブに形成されているガイドレールの背後に位置するように構成されていることを特徴とするボックスパレット。
【発明の詳細な説明】
【技術分野】
【０００１】
本発明は、パレットの上面を囲むように、４つの側壁が形成されているとともに、各側壁が、パレットの上に重なるように折り畳むことが可能な、所謂、折り畳み可能なボックスパレットに関するものである。
【背景技術】
【０００２】
従来、一方の相対する側壁ともう一方の相対する側壁とを、それぞれ略垂直に立て、その後、一方の相対する側壁に配設されたロック部材を、もう一方の相対する側壁に移動させて、ロック部材の先端部を、もう一方の相対する側壁に形成された凹部に挿入することにより、各側壁が、倒れないように構成されたボックスパレットが、一例として、特許文献１に記載されている。
【０００３】
また、ロック部材が、ロック解除位置を越えて移動し、側壁から離脱するという課題を解決するために、側壁の板状部に、略コの字状のスリットを形成することにより、ストッパーとして機能する弾性舌片を形成した発明を、本出願人の先の出願である特許文献２において提案した。
【０００４】
【特許文献１】実公平７−５１４６９号公報
【特許文献２】特願２００５−１２２１２６
【発明の開示】
【発明が解決しようとする課題】
【０００５】
上述した特許文献１に記載されているボックスパレットにおいては、ロック部材を、ロック位置からロック解除位置に移動させた際に、ロック部材を停止させるストッパーがないために、ロック部材が、ロック解除位置を越えて移動し、側壁から離脱するという問題があった。
【０００６】
また、特許文献２に記載されているボックスパレットにおいては、略コの字状のスリットを穿設することにより形成されるストッパーとして機能する弾性舌片が、一方の相対する側壁に形成されているために、箱型に組み立てられたボックスパレットに収容されている物品の一部や細かい物品が、一方の相対する側壁に穿設された略コの字状のスリットから、ロック部材が配設されている空間内に入り込み、ロック部材の円滑な移動が阻止されるという問題があった。
【０００７】
更に、特許文献２に記載されているボックスパレットのように、一方の相対する側壁に、直に、略コの字状のスリットを形成することにより、ストッパーとして機能する弾性舌片を形成した場合には、弾性舌片に、ボックスパレットに収容されている物品が当接し、弾性舌片が破損するという問題があった。
【０００８】
更にまた、特許文献２に記載されているボックスパレットのように、一方の相対する側壁に、直に、略コの字状のスリットを形成することにより、ストッパーとして機能する弾性舌片を形成した場合には、弾性舌片が、ボックスパレット内に入り込み、収容されている物品が、損傷するという問題があった。
【０００９】
本発明の目的は、上述した従来のボックスパレットが有する課題を解決することにある。
【課題を解決するための手段】
【００１０】
本発明は、上述した目的を達成するために、パレット部と、パレット部の一方の相対する辺部にヒンジ連結された先行傾倒側壁及びパレット部のもう一方の相対する辺部にヒンジ連結された後行傾倒側壁とを有するボックス部とから構成されているボックスパレットにおいて、先行傾倒側壁には、略コの字状のスリットを穿設することにより形成された当接弾性舌片を有する衝合部材と該衝合部材とは別体のロック部材とが配設される配設空間が形成されているとともに、配設空間内に位置する板状部及び該板状部に形成された嵌合凹部には、嵌合凹部の奥板に穿設された嵌合孔以外の透孔は穿設されておらず、配設空間内に、衝合部材が取り付けられた際には、衝合部材の盲ブロックを、嵌合凹部の奥板に穿設された嵌合孔に嵌入することにより、嵌合孔が閉鎖されるように構成されており、且つ、ロック部材に形成されているガイド突片が、配設空間を構成する水平区画リブに形成されているガイドレールの背後に位置するように構成したものである。
【発明の効果】
【００１１】
先行傾倒側壁には、略コの字状のスリットを穿設することにより形成された当接弾性舌片を有する衝合部材と該衝合部材とは別体のロック部材とが配設される配設空間が形成されているので、ロック部材の解除位置から、ロック部材が、端部側垂直リブ方向に移動しようとしても、ロック部が形成されている垂直側壁が、衝合部材の当接弾性舌片に当接し、それ以上の移動が阻止されるように構成されているので、従って、ロック部材が、端部側垂直リブ方向に移動し、ロック部材が、配設空間から外れるようなことを防止することができる。
【００１２】
配設空間内に位置する板状部及び該板状部に形成された嵌合凹部には、嵌合凹部の奥板に穿設された嵌合孔以外の透孔は穿設されておらず、配設空間内に、衝合部材が取り付けられた際には、衝合部材の盲ブロックが、嵌合凹部の奥板に穿設された嵌合孔に嵌入されることにより、嵌合孔が閉鎖されるように構成されているので、箱型に組み立てられたボックスパレットのボックス部に収容されている物品の一部や細かい物品が、配設空間内に入り込むようなことがなく、従って、配設空間内に入り込んだ物品により、配設空間内に配設されているロック部材の円滑な移動が阻止されるようなことを防止することができる。
【００１３】
配設空間内に位置する板状部及び該板状部に形成された嵌合凹部には、嵌合凹部の奥板に穿設された嵌合孔以外の透孔は穿設されておらず、配設空間内に、衝合部材が取り付けられた際には、衝合部材の盲ブロックが、嵌合凹部の奥板に穿設された嵌合孔に嵌入されることにより、嵌合孔が閉鎖されるように構成されているので、箱型に組み立てられたボックスパレットのボックス部に収容されている物品が、衝合部材の当接弾性舌片に当接し、当接弾性舌片が損傷するようなことを防止することができる。
【００１４】
配設空間内に位置する板状部及び該板状部に形成された嵌合凹部には、嵌合凹部の奥板に穿設された嵌合孔以外の透孔は穿設されておらず、配設空間内に、衝合部材が取り付けられた際には、衝合部材の盲ブロックが、嵌合凹部の奥板に穿設された嵌合孔に嵌入されることにより、嵌合孔が閉鎖されるように構成されているので、当接弾性舌片が、箱型に組み立てられたボックスパレットのボックス部の内部に入り込むようなことがなく、従って、収容された物品が、損傷するようなことを防止することができる。
【実施例】
【００１５】
先ず最初に、図１及び図２を用いて、本発明のボックスパレットの全体構成について説明する。
【００１６】
ボックスパレットＢｐは、パレット部Ｐとボックス部Ｂとから構成されている。パレット部Ｐは、上部デッキｐ１と、下部デッキｐ２と、上部デッキｐ１と下部デッキｐ２の四隅を連結する隅桁ｐ3 と、隅桁ｐ3 間に位置する上部デッキｐ１と下部デッキｐ２の中間を連結する中間桁ｐ４と、上部デッキｐ１と下部デッキｐ２の中央を連結する中央桁（図示されていない。）とを有しており、パレット部Ｐの各側部には．フォーク挿通口ｐ５が形成されている。
【００１７】
また、ボックス部Ｂは、パレット部Ｐの一方の相対する辺部に、公知のヒンジ連結手段によりヒンジ連結された一方の相対する側壁１と、パレット部Ｐのもう一方の相対する辺部に立設された垂直壁部ｐ６に、公知のヒンジ連結手段によりヒンジ連結されたもう一方の相対する側壁２とを有している。パレット部Ｐのもう一方の相対する辺部に立設された垂直壁部ｐ６にヒンジ連結されたもう一方の相対する側壁のヒンジ部の回動枢支点は、パレット部Ｐの一方の相対する辺部にヒンジ連結された一方の相対する側壁の回動枢支点より、高い位置に位置している。
【００１８】
図１に示されているように、一方の相対する側壁１ともう一方の相対する側壁２とが略垂直状態に立てられた状態から、先ず最初に、一方の相対する側壁１を、上部デッキｐ１の上面方向に回動させて、一方の相対する側壁１を、略水平状態に倒し、次いで、もう一方の相対する側壁２を、上部デッキｐ１の上面方向に回動させて、略水平状態に倒されている一方の相対する側壁１に重なるように倒すことにより、図２に示されているように、ボックスパレットＢｐを、高さの低いコンパクトな状態に折り畳むことができるように構成されている。
【００１９】
また、図２の折り畳まれた状態のボックスパレットＢｐを、図１に示されているように、箱型に組み立てるには、先ず最初に、略水平状態のもう一方の相対する側壁２を、垂直方向に回動させて略垂直に立て、次いで、略水平状態の一方の相対する側壁１を、同様に、垂直方向に回動させて略垂直に立てることにより行う。
【００２０】
なお、箱型に組み立てられた状態のボックスパレットＢｐを折り畳む際に、最初に、上部デッキｐ１の上面方向に回動され倒される一方の相対する側壁１、換言すれば、折り畳まれた状態のボックスパレットＢｐを箱型に組み立てる際に、後から略垂直に立てられる一方の相対する側壁１を、便宜的に、先行傾倒側壁と称し、また、箱型に組み立てられた状態のボックスパレットＢｐを折り畳む際に、上記の先行傾倒側壁１に次いで、上部デッキｐ１の上面方向に回動され倒されるもう一方の相対する側壁２、換言すれば、折り畳まれた状態のボックスパレットＢｐを、箱型に組み立てる際に、最初に、略垂直に立てられるもう一方の相対する側壁２を、便宜的に、後行傾倒側壁と称することとする。
【００２１】
次に、図１及び図３〜図７を用いて、先行傾倒側壁１について説明する。
【００２２】
先行傾倒側壁１は、略方形状の板状部１ａを有しており、板状部１ａの上端水平縁には、板状部１ａの外面（ボックスパレットＢｐが箱型に組み立てられた際に、外側に位置する面）１ａ１から外方に延在する上端水平リブ１ｂが形成されており、また、板状部１ａの下端水平縁には、板状部１ａの外面１ａ１から外方に延在する下端水平リブ１ｃが形成されている。また、板状部１ａの相対する垂直端縁１ｄより、所定の幅を有する縦長帯状部１ｅを残して位置する板状部１ａの外面１ａ１には、上端水平リブ１ｂの両端と下端水平リブ１ｃの両端を連結する端部垂直リブ１ｆが形成されている。縦長帯状部１ｅに位置する板状部１ａの外面１ａ１には、所定の間隔を置いて、複数の嵌合突条１ｅ１が、上下方向に配設されている。なお、本実施例には、５個の嵌合突条１ｅ１が形成されている例が示されている。
【００２３】
相対する垂直端縁１ｄの近傍には、上端水平リブ１ｂと下端水平リブ１ｃとを連結する端部側垂直リブ１ｇが、それぞれ形成されており、端部垂直リブ１ｆと端部側垂直リブ１ｇとの間に位置する領域の上部及び下部には、それぞれ、端部垂直リブ１ｆと端部側垂直リブ１ｇとを連結する上部水平区画リブ１ｈと下部水平区画リブ１ｉが形成されている。
【００２４】
上述したように、上部水平区画リブ１ｈと下部水平区画リブ１ｉとを形成することにより、端部垂直リブ１ｆと端部側垂直リブ１ｇとの間に位置する領域の上部及び下部には、端部垂直リブ１ｆと端部側垂直リブ１ｇと上部水平区画リブ１ｈと下部水平区画リブ１ｉと板状部１ａとにより囲まれた配設空間Ａが形成されている。本実施例には、端部垂直リブ１ｆと端部側垂直リブ１ｇとの間に位置する一方の領域の上部及び下部に、それぞれ、１個の配設空間Ａが形成されているとともに、端部垂直リブ１ｆと端部側垂直リブ１ｇとの間に位置するもう一方の領域の上部及び下部に、それぞれ、１個の配設空間Ａが形成されており、合計４個の配設空間Ａが形成されている例が示されているが、端部垂直リブ１ｆと端部側垂直リブ１ｇとの間に位置する一方の領域及び端部垂直リブ１ｆと端部側垂直リブ１ｇとの間に位置するもう一方の領域に、それぞれ、３個以上の配設空間Ａを形成することもできる。また、端部垂直リブ１ｆと端部側垂直リブ１ｇとの間に位置する一方の領域及び端部垂直リブ１ｆと端部側垂直リブ１ｇとの間に位置するもう一方の領域の上部のみの一箇所に、配設空間Ａを形成することもできる。
【００２５】
配設空間Ａ内に位置する端部垂直リブ１ｆには、補強ブロック１ｊが連接されているとともに、補強ブロック１ｊと端部垂直リブ１ｆには、縦長のロック部挿入透孔１ｋが穿設されている。なお、ロック部挿入透孔１ｋが穿設されている端部垂直リブ１ｆ付近に位置する縦長帯状部１ｅには、嵌合突条１ｅ１が突設されることがないように構成されている。なお、ロック部挿入透孔１ｋより、板状部１ａ側に位置する補強ブロック１ｊと端部垂直リブ１ｆには、先行傾倒側壁１の重量の軽減化や、合成樹脂材の節約や、先行傾倒側壁１の成形時における冷却過程での変形を防止するために、貫通孔１ｋ’が穿設されている。
【００２６】
補強ブロック１ｊと端部垂直リブ１ｆに形成された縦長のロック部挿入透孔１ｋは、板状部１ａと平行で、且つ、板状部１ａ側に位置する内部側垂直内面１ｋ１と、内部側垂直内面１ｋ１と対向する外部側垂直内面１ｋ２と、天井面１ｋ３と、底面１ｋ４とから構成されている。外部側垂直内面１ｋ２には、係止凹部１ｋ５が形成されており、係止凹部１ｋ５は、ロック部挿入透孔１ｋ側及び嵌合突条１ｅ１側が開放されている。
【００２７】
配設空間Ａ内に位置する板状部１ａには、上下方向に、上部水平区画リブ１ｈから下部水平区画リブ１ｉまで延在するとともに、左右方向に、補強ブロック１ｊから端部側垂直リブ１ｇ付近まで延在する、後述する係止部材が嵌合される嵌合凹部１ｍが形成されている。嵌合凹部１ｍは、奥板１ｍ１と上部水平区画リブ１ｈの下面と下部水平区画リブ１ｉの上面と相対する側面１ｍ２とにより囲まれており、前面が開放されている。また、嵌合凹部１ｍを構成する奥板１ｍ１の上端部には、横長の上部嵌合孔１ｎが穿設されているとともに、奥板１ｍ１の下端部にも、横長の下部嵌合孔１ｐが穿設されている。更に、図７に示されているように、上部嵌合孔１ｎの天井面１ｎ１と板状部１ａの内面（ボックスパレットＢｐが箱型に組み立てられた際に、内側に位置する面）１ａ２との角部には、上部係止ノッチ１ｑが形成されているとともに、下部嵌合孔１ｐの底面１ｐ１と板状部１ａの内面１ａ２との角部にも、上部係止ノッチ１ｑと同様の下部係止ノッチ１ｒが形成されている。
【００２８】
また、配設空間Ａ内に位置する板状部１ａに形成されている嵌合凹部１ｍには、奥板１ｍ１に穿設された上部嵌合孔１ｎと下部嵌合孔１ｐ以外には、一切、透孔は穿設されておらず、また、嵌合凹部１ｍを除く、配設空間Ａ内に位置する板状部１ａにも、一切、透孔は穿設されていない。
【００２９】
配設空間Ａを構成する上部水平区画リブ１ｈの下面には、板状部１ａに平行な上部ガイドレール１ｓが形成されているとともに、配設空間Ａを構成する下部水平区画リブ１ｉの上面には、板状部１ａに平行な下部ガイドレール１ｔが形成されている。
【００３０】
次に、図１、図８及び図９を用いて、後行傾倒側壁２について説明する。
【００３１】
後行傾倒側壁２は、略方形状の板状部２ａを有しており、板状部２ａの上端水平縁には、板状部２ａの外面（ボックスパレットＢｐが箱型に組み立てられた際に、外側に位置する面）２ａ１から外方に延在する上端水平リブ２ｂが形成されており、また、板状部２ａの下端水平縁には、板状部２ａの外面２ａ１から外方に延在する下端水平リブ２ｃが形成されている。板状部２ａの相対する端部垂直リブ２ｄ付近には、板状部２ａの内面（ボックスパレットＢｐが箱型に組み立てられた際に、内側に位置する面）２ａ２に略垂直な当接枠２ｅが形成されている。
【００３２】
当接枠２ｅには、板状部２ａに平行な嵌合孔２ｅ１が形成されており、嵌合孔２ｅ１には、上述した先行傾倒側壁１の縦長帯状部１ｅに突設された嵌合突条１ｅ１が挿入されるように構成されている。また、当接枠２ｅの板状部２ａと平行な先端垂直面２ｅ２の上部には、後述するロック部材のロック部が挿入可能なロック部挿入凹部２ｅ３が形成されている。
【００３３】
次に、上述した先行傾倒側壁１に形成された配設空間Ａ内に配設されるロック部材Ｕ及び衝合部材Ｅについて説明する。
【００３４】
先ず最初に、図１０及び図１１を用いて、ロック部材Ｕについて説明する。
【００３５】
ロック部材Ｕは、相対する縦長の長方形状の垂直側壁ｕ１ａと相対する水平側壁ｕ１ｂとにより、略角筒状に形成された角筒部ｕ１を有しているとともに、角筒部ｕ１の中程に形成された隔壁ｕ１’とを有している。また、角筒部ｕ１を形成する相対する垂直側壁ｕ１ａの一方の垂直側壁ｕ１ａには、垂直側壁ｕ１ａに垂直で、且つ、垂直側壁ｕ１ａの上下方向に沿って延在する厚板状のロック部ｕ２が形成されている。また、角筒部ｕ１を形成する相対する垂直側壁ｕ１ａのもう一方の垂直側壁ｕ１ａ（ロック部ｕ２が形成されていない垂直側壁）には、後述する衝合部材Ｅに形成されている当接弾性舌片が通過可能な切欠き部ｕ３が形成されている。
【００３６】
ロック部ｕ２に、一対の水平スリットｓ１ａと、一対の水平スリットｓ１ａのロック部ｕ２の先端側に位置する端部を連結する垂直スリットｓ１ｂとからなる略コの字状のスリットｓ１を形成することにより、係止弾性舌片ｕ４が形成されており、係止弾性舌片ｕ４の自由端部には、係止突起ｕ４ａが突設されている。また、角筒部ｕ１を形成する相対する水平側壁ｕ１ｂには、隔壁ｕ１’に沿って、それぞれ、ガイド突片ｕ５が突設されている。なお、ｕ６は、切欠き部ｕ３が形成されている垂直側壁ｕ１ａと切欠き部ｕ３が形成されていない垂直側壁ｕ１ａとを連結する補強水平リブであり、補強水平リブｕ６は、切欠き部ｕ３内に突設しないように構成されている。
【００３７】
次に、図１２及び図１３を用いて、上述した先行傾倒側壁１に形成された配設空間Ａ内に配設される衝合部材Ｅについて説明する。
【００３８】
衝合部材Ｅは、先行傾倒側壁１の配設空間Ａ内に位置する板状部１ａに形成された嵌合凹部１ｍに嵌合されるように構成されている。衝合部材Ｅは、略方形状の板状本体ｅ１を有しており、板状本体ｅ１の裏面（衝合部材Ｅを、嵌合凹部１ｍに嵌合した際に、嵌合凹部１ｍの奥板１ｍ１に当接、或いは、嵌合凹部１ｍの奥板１ｍ１に近接する面）ｅ１’の上端部には、上部盲ブロックｅ２が突設されているとともに、板状本体ｅ１の裏面ｅ１’の下端部には、上部盲ブロックｅ２と同様の下部盲ブロックｅ３が突設されている。
【００３９】
上部盲ブロックｅ２の上面ｅ２ａは、板状本体ｅ１の上面ｅ１ａと略面一になるように形成されており、上部盲ブロックｅ２の上面ｅ２ａには、上述した先行傾倒側壁１に穿設された上部嵌合孔１ｎの天井面１ｎ１と板状部１ａの内面１ａ２との角部に形成された上部ノッチ１ｑに嵌合されるように構成された上部係止突条ｅ４が突設されている。同様に、上部盲ブロックｅ３の下面ｅ３ａは、板状本体ｅ１の下面ｅ１ｂと略面一になるように形成されており、下部盲ブロックｅ３の下面ｅ３ａには、上述した先行傾倒側壁１に穿設された下部嵌合孔１ｐの底面１ｐ１と板状部１ａの内面１ａ２との角部に形成された下部ノッチ１ｒに嵌合されるように構成された下部係止突条ｅ５が突設されている。
【００４０】
板状本体ｅ１に、一対の水平スリットｓ２ａと、一対の水平スリットｓ２ａの一方の端部を連結する垂直スリットｓ２ｂとからなる略コの字状のスリットｓ２を形成することにより、ロック解除位置にあるロック部材Ｕの端部側垂直リブ１ｇ方向への移動を制限するための当接弾性舌片ｅ６が形成されている。当接弾性舌片ｅ６の少なくとも自由端部は、板状本体ｅ１の前面（衝合部材Ｅを、嵌合凹部１ｍに嵌合した際に、外側に位置する面）ｅ１”から突出して位置するように構成されている。
【００４１】
次に、図１４〜図１７を用いて、先行傾倒側壁１に形成された配設空間Ａ内への衝合部材Ｅの取り付けについて説明する。
【００４２】
先ず最初に、配設空間Ａ内に位置する板状部１ａに形成された嵌合凹部１ｍに、衝合部材Ｅの板状本体ｅ１の裏面ｅ１’と嵌合凹部１ｍの奥板１ｍ１とが対向するように、衝合部材Ｅを嵌合するとともに、衝合部材Ｅの上部盲ブロックｅ２を、嵌合凹部１ｍ内に位置する板状部１ａに穿設された上部嵌合孔１ｎに嵌入させ、また、衝合部材Ｅの下部盲ブロックｅ３を、嵌合凹部１ｍ内に位置する板状部１ａに穿設された下部嵌合孔１ｐに嵌入させる。その後、衝合部材Ｅを、嵌合凹部１ｍの奥板１ｍ１方向に更に押し込むと、上部盲ブロックｅ２の上面ｅ２ａに突設されている上部係止突条ｅ４が、先行傾倒側壁１に穿設された上部嵌合孔１ｎの天井面１ｎ１と板状部１ａの内面１ａ２との角部に形成された上部ノッチ１ｑに嵌合され、また、下部盲ブロックｅ３の下面ｅ３ａに突設されている下部係止突条ｅ５が、先行傾倒側壁１に穿設された下部嵌合孔１ｐの底面１ｐ１と板状部１ａの内面１ａ２との角部に形成された下部ノッチ１ｒに嵌合されることになる。このようにして、配設空間Ａ内に位置する板状部１ａに形成された嵌合凹部１ｍに、衝合部材Ｅが取り付けられることになる。配設空間Ａ内に位置する板状部１ａに形成された嵌合凹部１ｍに、衝合部材Ｅが取り付けられた際には、衝合部材Ｅの板状本体ｅ１は、嵌合凹部１ｍ内に収容され、また、衝合部材Ｅの当接弾性舌片ｅ６の少なくとも自由端部は、配設空間Ａ内に位置する板状部１ａの外面１ａ１を超えて、外側に突出するように構成されている。
【００４３】
次に、図１８〜図２３を用いて、先行傾倒側壁１に形成された配設空間Ａ内へのロック部材Ｕの取り付けについて説明する。
【００４４】
先ず最初に、図１８に示されているように、ロック部材Ｕを構成する係止弾性舌片ｕ４の係止突起ｕ４ａが、外側（先行傾倒側壁１の板状部１ａに対して、反対側）に位置し、また、角筒部ｕ１のロック部ｕ２が形成されていない垂直側壁ｕ１ａに形成された切欠き部ｕ３が、先行傾倒側壁１の板状部１ａと対向するとともに、切欠き部ｕ３が、配設空間Ａ内に位置する端部側垂直リブ１ｇ側に位置し、また、角筒部ｕ１のロック部ｕ２が、配設空間Ａ内に位置する端部垂直リブ１ｆ側に位置するように、ロック部材Ｕを、先行傾倒側壁１に形成された配設空間Ａの開放側に配置する。
【００４５】
次いで、図１９及び図２０に示されているように、角筒部ｕ１のロック部ｕ２が形成されていない垂直側壁ｕ１ａ、即ち、切欠き部ｕ３が形成されている垂直側壁ｕ１ａが、端部側垂直リブ１ｇに当接或いは近接するとともに、ロック部ｕ２が形成されている垂直側壁ｕ１ａが、衝合部材Ｅの当接弾性舌片ｅ６の根元部付近、或いは、当接弾性舌片ｅ６に当接するように、ロック部材Ｕを、先行傾倒側壁１に形成された配設空間Ａ内に配設する。この状態においては、ロック部材Ｕの角筒部ｕ１の相対する水平側壁ｕ１ｂに形成されているガイド突片ｕ５が、配設空間Ａを構成する上部水平区画リブ１ｈの下面１ｈ１に形成されている上部ガイドレール１ｓ及び下部水平区画リブ１ｉの上面１ｉ１に形成されている下部ガイドレール１ｔに、正面から見て、重ならないように構成されている。
【００４６】
次いで、図２１及び図２２に示されているように、ロック部材Ｕを、端部垂直リブ１ｆ方向に移動させるとともに、ロック部材Ｕの角筒部ｕ１のロック部ｕ２が形成されている垂直側壁ｕ１ａにより、衝合部材Ｅの当接弾性舌片ｅ６を押し付け弾性変形させて、当接弾性舌片ｅ６を、嵌合凹部１ｍ内に入り込ませる。その後、更に、ロック部材Ｕを、端部垂直リブ１ｆ方向に移動させると、ロック部材Ｕの角筒部ｕ１のロック部ｕ２が形成されている垂直側壁ｕ１ａが、衝合部材Ｅの当接弾性舌片ｅ６の先端ｅ６ａを超えることになり、ロック部材Ｕの角筒部ｕ１のロック部ｕ２が形成されている垂直側壁ｕ１ａが、衝合部材Ｅの当接弾性舌片ｅ６の先端ｅ６ａを超えた時点で、衝合部材Ｅの当接弾性舌片ｅ６が、その弾性復元力により、衝合部材Ｅの当接弾性舌片ｅ６の少なくとも自由端部が、配設空間Ａ内に位置する板状部１ａの外面１ａ１を超えて外側に突出した元の位置に戻ることになる。また、この状態においては、ロック部材Ｕのロック部ｕ２の先端部が、配設空間Ａ内に位置する端部垂直リブ１ｆと補強ブロック１ｊに穿設されたロック部挿入透孔１ｋに挿入されているとともに、ロック部ｕ２の先端が、端部垂直リブ１ｆを越えて外側に突出しないように構成されている。更に、この状態においては、図２２に示されているように、ロック部材Ｕの角筒部ｕ１の相対する水平側壁ｕ１ｂに形成されているガイド突片ｕ５が、配設空間Ａを構成する上部水平区画リブ１ｈの下面１ｈ１に形成されている上部ガイドレール１ｓ及び下部水平区画リブ１ｉの上面１ｉ１に形成されている下部ガイドレール１ｔの背後に位置し、且つ、正面から見て、互いに重なるように構成されている。このようにして、先行傾倒側壁１に形成された配設空間Ａ内に、ロック部材Ｕが取り付けられることになる。なお、ロック部材Ｕを、端部垂直リブ１ｆ方向に移動させた際には、ロック部材Ｕを構成する角筒部ｕ１のロック部ｕ２が形成されていない垂直側壁ｕ１ａに形成された切欠き部ｕ３には、衝合部材Ｅの当接弾性舌片ｅ６が挿通されるように構成されているので、ロック部ｕ２が形成されていない垂直側壁ｕ１ａに、衝合部材Ｅの当接弾性舌片ｅ６が接触するようなことがない。
【００４７】
図２１に示されているように、ロック部材Ｕを構成する角筒部ｕ１のロック部ｕ２が形成されている垂直側壁ｕ１ａの角筒部ｕ１内に位置する内面ｕ１ａ’が、衝合部材Ｅの当接弾性舌片ｅ６の先端ｅ６ａに当接、或いは、当接弾性舌片ｅ６の先端ｅ６ａに近接している状態では、ロック部材Ｕのロック部ｕ２の先端部が、配設空間Ａ内に位置する端部垂直リブ１ｆと補強ブロック１ｊに穿設されたロック部挿入透孔１ｋに挿入されているとともに、ロック部ｕ２の先端が、端部垂直リブ１ｆを越えて外側に突出しないように構成されている。この状態において、ロック部材Ｕを、端部側垂直リブ１ｇ方向に移動しようとしても、ロック部ｕ２が形成されている垂直側壁ｕ１ａの角筒部ｕ１内に位置する内面ｕ１ａ’が、衝合部材Ｅの当接弾性舌片ｅ６の先端ｅ６ａに当接することになり、従って、ロック部材Ｕが、端部側垂直リブ１ｇ方向に移動し、ロック部材Ｕのロック部ｕ２が、補強ブロック１ｊと端部垂直リブ１ｆに穿設されているロック部挿入透孔１ｋから抜け出て、ロック部材Ｕが、配設空間Ａから外れるようなことを防止することができる。このようなロック部材Ｕの状態或いは位置を、ロック部材Ｕの解除状態、或いは、ロック部材Ｕの解除位置と称する。更に、このロック部材Ｕの解除位置においては、ロック部ｕ２に形成されている係止弾性舌片ｕ４は、ロック部挿入透孔１ｋに挿入されていない。
【００４８】
上述したロック部材Ｕの解除位置から、ロック部材Ｕの角筒部ｕ１を、補強ブロック１ｊ方向に移動させると、ロック部ｕ２に形成されている係止弾性舌片ｕ４の係止突起ｕ４ａが、ロック部挿入透孔１ｋに挿入されるとともに、係止弾性舌片ｕ４の係止突起ｕ４ａが、ロック部挿入透孔１ｋの外部側垂直内面１ｋ２に当接し、係止弾性舌片ｕ４がその弾性力に抗して、内部側垂直内面１ｋ１方向に弾性変形することになる。更に、ロック部材Ｕの角筒部ｕ１を、補強ブロック１ｊ方向に移動させると、図２３に示されているように、ロック部材Ｕのロック部ｕ２の先端部が、端部垂直リブ１ｆを越えて外側に突出するとともに、係止弾性舌片ｕ４の係止突起ｕ４ａが、ロック部挿入透孔１ｋの外部側垂直内面１ｋ２に形成された係止凹部１ｋ５に到達した時点で、係止弾性舌片ｕ４は、その弾性復元力により、外部側垂直内面１ｋ２方向に回動し、係止弾性舌片ｕ４の係止突起ｕ４ａが、ロック部挿入透孔１ｋの外部側垂直内面１ｋ２に形成された係止凹部１ｋ５に係合されることになる。このようなロック部材Ｕの状態或いは位置を、ロック部材Ｕのロック状態、或いは、ロック部材Ｕのロック位置と称する。ロック部材Ｕのロック位置においては、ロック部材Ｕのロック部ｕ２に形成されている係止弾性舌片ｕ４の係止突起ｕ４ａが、補強ブロック１ｊと端部垂直リブ１ｆに穿設されたロック部挿入透孔１ｋの外部側垂直内面１ｋ２に形成された係止凹部１ｋ５に係合されているので、簡単には、ロック部材Ｕが、端部側垂直リブ１ｇ方向に移動しないように構成されている。
【００４９】
次に、図２に示されているように、折り畳まれた状態のボックスパレットＢｐを、図１に示されているように、箱型に組み立てる順序について、主として、図２４及び図２５を用いて説明する。
【００５０】
先ず最初に、略水平状態の後行傾倒側壁２を略垂直立て、次いで、略水平状態の先行傾倒側壁１を、垂直方向に回動させる。このように、後行傾倒側壁２に次いで、先行傾倒側壁１を略垂直に立てた状態においては、図２５に示されているように、後行傾倒側壁２の当接枠２ｅに、先行傾倒側壁１の縦長帯状部１ｅが当接、或いは、近接するとともに、先行傾倒側壁１の縦長帯状部１ｅに突設されている嵌合突条１ｅ１が、後行傾倒側壁２の当接枠２ｅに穿設されている嵌合孔２ｅ１に挿入されることになる。このように、略水平状態の後行傾倒側壁２を略垂直立て、次いで、略水平状態の先行傾倒側壁１を略垂直立てる箱型への組み立て作業時においては、先行傾倒側壁１に形成された配設空間Ａ内に取り付けられているロック部材Ｕは、解除位置にある。即ち、ロック部材Ｕのロック部ｕ２の先端ｕ２ａは、端部垂直リブ１ｆを超えて、外側に突出していない。
【００５１】
次いで、ロック部材Ｕを、補強ブロック１ｊ及び端部垂直リブ１ｆ方向に移動させると、ロック部材Ｕのロック部ｕ２の先端ｕ２ａが、端部垂直リブ１ｆを超えて外側に突出し、ロック部材Ｕのロック部ｕ２が、後行傾倒側壁２の当接枠２ｅに形成されているロック部挿入凹部２ｅ３に挿入されるとともに、ロック部材Ｕを構成する弾性舌片ｕ４の係止突起ｕ４ａが、補強ブロック１ｊ及び端部垂直リブ１ｆに形成されたロック部挿入透孔１ｋの外部側垂直内面１ｋ２に形成されている係止凹部１ｋ５に係合されるように構成されている。このように、ロック部材Ｕを構成する弾性舌片ｕ４の係止突起ｕ４ａが、補強ブロック１ｊ及び端部垂直リブ１ｆに形成されたロック部挿入透孔１ｋの外部側垂直内面１ｋ２に形成されている係止凹部１ｋ５に係合されるように構成されているので、ロック部材Ｕに、ロック部材Ｕのロック部ｕ２が、後行傾倒側壁２の当接枠２ｅに形成されているロック部挿入凹部２ｅ３から排出されるような外力が加わっても、簡単には、ロック部材Ｕのロック部ｕ２が、後行傾倒側壁２の当接枠２ｅに形成されているロック部挿入凹部２ｅ３から排出するようなことを防止することができる。また、この状態において、先行傾倒側壁１に外側から負荷が加わっても、先行傾倒側壁１に形成された配設空間Ａ内に取り付けられているロック部材Ｕのロック部ｕ２が、後行傾倒側壁２の当接枠２ｅに形成されているロック部挿入凹部２ｅ３に挿入されているので、先行傾倒側壁１が、パレット部Ｐの上部デッキｐ１の上面方向に回動するようなことがない。
【００５２】
次に、図１に示されているように、箱型に組み立てられた状態のボックスパレットＢｐを、図２に示されているように、折り畳むには、ロック部材Ｕを、端部側垂直リブ１ｇ方向に移動させて、ロック部材Ｕのロック部ｕ２を、後行傾倒側壁２の当接枠２ｅに形成されているロック部挿入凹部２ｅ３から排出させ、その後、先行傾倒側壁１を、上部デッキｐ１の上面方向に回動させて、略水平状態に倒し、次いで、後行傾倒側壁２を、上部デッキｐ１の上面方向に回動させて、略水平状態に倒されている先行傾倒側壁１に重なるように倒すことにより、ボックスパレットＢｐを、高さの低いコンパクトな状態に折り畳むことになる。ロック部材Ｕに所定の力を加えて、ロック部材Ｕを、端部側垂直リブ１ｇ方向に移動させると、ロック部材Ｕを構成する弾性舌片ｕ４の係止突起ｕ４ａが、弾性舌片ｕ４の弾性力に抗して、補強ブロック１ｊ及び端部垂直リブ１ｆに形成されたロック部挿入透孔１ｋの外部側垂直内面１ｋ２に形成されている係止凹部１ｋ５から排出され、上記のように、ロック部材Ｕの端部側垂直リブ１ｇ方向への移動が可能となる。
【００５３】
上述したように、先行傾倒側壁１の配設空間Ａ内に位置する板状部１ａには、嵌合凹部１ｍを構成する奥板１ｍ１に穿設された上部嵌合孔１ｎと下部嵌合孔１ｐ以外には、一切、透孔は穿設されておらず、また、配設空間Ａ内に、衝合部材Ｅが取り付けられた際には、衝合部材Ｅの上部盲ブロックｅ２が、嵌合凹部１ｍの奥板１ｍ１に穿設された上部嵌合孔１ｎに嵌入されるとともに、衝合部材Ｅの下部盲ブロックｅ３が、嵌合凹部１ｍの奥板１ｍ１に穿設された下部嵌合孔１ｐに嵌入されて、嵌合凹部１ｍの奥板１ｍ１に穿設された上部嵌合孔１ｎと下部嵌合孔１ｐが、衝合部材Ｅの上部盲ブロックｅ２と下部盲ブロックｅ３とにより閉鎖されることになるので、箱型に組み立てられたボックスパレットＢｐのボックス部Ｂに収容されている物品の一部や細かい物品が、配設空間Ａ内に入り込むようなことを防止することができる。従って、配設空間Ａ内に入り込んだ物品により、配設空間Ａ内に配設されているロック部材Ｕの円滑な移動が阻止されるようなことを防止することができる。
【００５４】
また、上述したように、衝合部材Ｅの板状本体ｅ１に、略コの字状のスリットｓ２を形成することにより、当接弾性舌片ｅ６を形成する代わりに、先行傾倒側壁１の配設空間Ａ内に位置する板状部１ａに、直に、略コの字状のスリットを形成することにより、当接弾性舌片を形成するようにした発明を、本出願人の先の出願である特願２００５−１２２１２６において提案したが、このような略コの字状のスリットを、直に、板状部に形成した場合には、箱型に組み立てられたボックスパレットのボックス部に収容されている物品の一部や細かい物品が、略コの字状のスリットから、配設空間内に入り込み、配設空間内に配設されているロック部材の円滑な移動が阻止されることになるが、本実施例においては、上述した構成により、配設空間Ａ内に入り込んだ物品により、配設空間Ａ内に配設されているロック部材Ｕの円滑な移動が阻止されるようなことを防止することができる。
【００５５】
更に、先行傾倒側壁の配設空間内に位置する板状部に、直に、略コの字状のスリットを形成することにより、当接弾性舌片を形成した場合には、当接弾性舌片に、箱型に組み立てられたボックスパレットのボックス部に収容されている物品が当接し、当接弾性舌片が破損する場合がある。このように、当接弾性舌片が破損した場合には、先行傾倒側壁を取り替えるか、或いは、ボックスパレット全体を廃棄しなければならないことになる。しかしながら、本実施例においては、ロック部材Ｕとは別体の、当接弾性舌片ｅ６が形成されている衝合部材Ｅのみを交換すればよいので、先行傾倒側壁を取り替えるか、或いは、ボックスパレット全体を廃棄しなければならない場合に較べて、コスト削減が実現できる。
【図面の簡単な説明】
【００５６】
【図１】図１は、箱型に組み立てられた状態の本発明のボックスパレットの斜視図である。
【図２】図２は、折り畳まれた状態の本発明のボックスパレットの斜視図である。
【図３】図３は、本発明のボックスパレットを構成する先行傾倒側壁の部分斜視図である。
【図４】図４は、同じく、本発明のボックスパレットを構成する先行傾倒側壁の部分斜視図である。
【図５】図５は、本発明のボックスパレットを構成する先行傾倒側壁に形成された配設空間付近の部分拡大斜視図である。
【図６】図６は、図５の配設空間の略中央部における水平断面図である。
【図７】図７は、図５の配設空間の裏面側から見た先行傾倒側壁の部分拡大斜視図である。
【図８】図８は、本発明のボックスパレットを構成する後行傾倒側壁の部分斜視図である。
【図９】図９は、同じく、本発明のボックスパレットを構成する後行傾倒側壁の部分斜視図である。
【図１０】図１０は、本発明のボックスパレットを構成するロック部材の斜視図である。
【図１１】図１１は、同じく、本発明のボックスパレットを構成するロック部材の斜視図である。
【図１２】図１２は、本発明のボックスパレットを構成する衝合部材の斜視図である。
【図１３】図１３は、同じく、本発明のボックスパレットを構成する衝合部材の斜視図である。
【図１４】図１４は、本発明のボックスパレットを構成する先行傾倒側壁と衝合部材の分解斜視図である。
【図１５】図１５は、先行傾倒側壁に形成された配設空間内の嵌合凹部に、衝合部材が取り付けられた状態の一部断面を含む部分拡大斜視図である。
【図１６】図１６は、先行傾倒側壁に形成された配設空間内の嵌合凹部に、衝合部材が取り付けられた状態の部分拡大斜視図である。
【図１７】図１７は、図１６の配設空間の略中央部における水平断面図である。
【図１８】図１８は、本発明のボックスパレットを構成する先行傾倒側壁とロック部材の分解斜視図である。
【図１９】図１９は、先行傾倒側壁に形成された配設空間内に、ロック部材が取り付けられた状態の部分拡大斜視図である。
【図２０】図２０は、図１９の配設空間の略中央部における水平断面図である。
【図２１】図２１は、図２０と同様の配設空間の略中央部における水平断面図である。
【図２２】図２２は、先行傾倒側壁に形成された配設空間内に、ロック部材が取り付けられた状態の部分拡大斜視図である。
【図２３】図２３は、図２０と同様の配設空間の略中央部における水平断面図である。
【図２４】図２４は、本発明のボックスパレットを構成する先行傾倒側壁と後行傾倒側壁の分解部分斜視図である。
【図２５】図２５は、本発明のボックスパレットを構成する先行傾倒側壁と後行傾倒側壁とが略垂直に立てられた状態の部分斜視図である。
【符号の説明】
【００５７】
Ａ・・・・・・・・・・・・配設空間
Ｂｐ・・・・・・・・・・・ボックスパレット
Ｂ・・・・・・・・・・・・ボックス部
Ｅ・・・・・・・・・・・・衝合部材
ｅ２・・・・・・・・・・・上部盲ブロック
ｅ３・・・・・・・・・・・下部盲ブロック
ｅ６・・・・・・・・・・・当接弾性舌片
Ｐ・・・・・・・・・・・・パレット部
Ｕ・・・・・・・・・・・・ロック部材
ｕ１・・・・・・・・・・・角筒部
ｕ２・・・・・・・・・・・ロック部
ｕ４・・・・・・・・・・・係止弾性舌片
１・・・・・・・・・・・・先行傾倒側壁
１ｍ・・・・・・・・・・・嵌合凹部
１ｎ・・・・・・・・・・・上部嵌合孔
１ｐ・・・・・・・・・・・下部嵌合孔
２・・・・・・・・・・・・後行傾倒側壁
【図１】
2008114912.tif 000003
【図２】
2008114912.tif 000004
【図３】
2008114912.tif 000005
【図４】
2008114912.tif 000006
【図５】
2008114912.tif 000007
【図６】
2008114912.tif 000008
【図７】
2008114912.tif 000009
【図８】
2008114912.tif 000010
【図９】
2008114912.tif 000011
【図１０】
2008114912.tif 000012
【図１１】
2008114912.tif 000013
【図１２】
2008114912.tif 000014
【図１３】
2008114912.tif 000015
【図１４】
2008114912.tif 000016
【図１５】
2008114912.tif 000017
【図１６】
2008114912.tif 000018
【図１７】
2008114912.tif 000019
【図１８】
2008114912.tif 000020
【図１９】
2008114912.tif 000021
【図２０】
2008114912.tif 000022
【図２１】
2008114912.tif 000023
【図２２】
2008114912.tif 000024
【図２３】
2008114912.tif 000025
【図２４】
2008114912.tif 000026
【図２５】
2008114912.tif 000027